(57)【要約】  交差偏波補償を備えた反射器アレイアンテナは、放射素子の平面ＸＹの少なくとも一方向Ｘおよび／またはＹに関して非対称のエッチングされたパターンを有する少なくとも１つの放射素子（２０）を含み、放射素子のパターンの非対称性は二方向ＸおよびＹに沿った同一対称パターンの放射素子に基づいて個々に計算され、その結果、一次波源（１３）により照射された反射器アレイ（１１）によって伝播方向に垂直な面に発生した減偏波を妨害する制御された減偏波を有する反射波を発生する。
2013543283.tif 000002
【特許請求の範囲】
【請求項１】
規則的に分布し、反射表面を形成する複数の基本放射素子（２０）からなる反射器アレイ（１１）と、前記反射器アレイ（１１）を照射する目的の一次波源（１３）とを含む、交差偏波補償を備えた反射器アレイアンテナであって、前記反射器アレイ（１１）は選択した位相法則で選択した伝播方向（４５）の２つの直交主偏波による放射図を有し、各基本放射素子（２０）はプレーナ技術で製造され、かつ、少なくとも１つの金属パッチ（１５）および／または少なくとも１つの放射スロット（１８）からなるエッチングされたパターンを含み、前記金属パッチは対称構造の中に、前記エッチングされたパターンの中心（５０）に関して対で対向し、前記放射素子（２０）の平面ＸＹの２方向Ｘ、Ｙに平行に配置された少なくとも４つの辺を含み、前記放射スロットは前記放射素子の対称構造の中に、前記エッチングされたパターンの前記中心（５０）に関して正反対であり、前記放射素子（２０）の前記方向Ｘおよび／またはＹのうち少なくとも１つに平行に配置された少なくとも２つの分岐を含む反射器アレイアンテナであり、前記反射器アレイ（１１）の少なくとも１つの放射素子（２０）が、前記放射素子（２０）の前記平面ＸＹの前記方向Ｘおよび／またはＹのうち少なくとも１つに関して非対称の幾何学的形状を有するエッチングされたパターンを含み、前記放射素子（２０）の前記エッチングされたパターンの前記非対称性が、前記放射素子の前記面の前記方向Ｘおよび／またはＹに関して前記エッチングされたパターンの前記幾何学的形状の少なくとも１つの辺、それぞれの少なくとも一つの分岐の角度傾斜からなることを特徴とする、反射器アレイアンテナ。
【請求項２】
請求項１に記載のアンテナにおいて、金属パッチと、前記金属パッチの中にエッチングされた少なくとも２つのスロットとを含むエッチングされたパターンの場合であって、前記スロットが、前記放射素子の対称構造の中に前記方向ＸおよびＹに平行に対でそれぞれ方向付けられている少なくとも４つの主分岐（６２、６３、６４、６５）を形成する場合、前記角度非対称性が、前記平面ＸＹ内の前記エッチングされたパターンの前記中心（５０）のまわりの前記スロットの前記４つの主分岐の角回転からなることを特徴とする、アンテナ。
【請求項３】
請求項１に記載のアンテナにおいて、対称構造の中に正方形の幾何学的形状を有する金属パッチを含むエッチングされたパターンの場合、前記正方形をそれぞれ不等辺四辺形または平行四辺形に変形させるように、前記角度非対称性が、前記放射素子の前記金属パッチの少なくとも２つの対向する辺（８１、８２）、（８３、８４）の同一の向きまたは反対の向きへの角度傾斜からなることを特徴とする、アンテナ。
【請求項４】
請求項１〜３のいずれか一項に記載のアンテナにおいて、前記反射器アレイ（１１）のいくつかの隣接した放射素子が、前記放射素子それぞれの前記平面ＸＹの少なくとも一方向Ｘおよび／またはＹに関して非対称の幾何学的形状を有するエッチングされたパターンを含み、前記放射素子のそれぞれの前記エッチングされたパターンの前記幾何学的形状の前記辺または前記分岐の前記角度傾斜が、１つの放射素子から別の隣接した放射素子まで連続的に進む値の角度を反射表面上に形成することを特徴とする、アンテナ。
【請求項５】
請求項１〜４のいずれか一項に記載のアンテナにおいて、前記反射器アレイ（１１）が、異なる面によって方向付けられているいくつかの面ファセット（４１、４２、４３）を含み、各々の前記面ファセットが複数の基本放射素子を含むことと、前記反射器アレイの各々の前記面ファセットの少なくとも１つの放射素子が、前記対応する放射素子が属する前記ファセットの前記平面ＸＹの前記少なくとも一方向Ｘおよび／またはＹに関して非対称の幾何学的形状を有するエッチングされたパターンを含むこととを特徴とする、アンテナ。
【請求項６】
規則的に分布し、反射表面を形成する複数の基本放射素子（２０）からなる反射器アレイ（１１）を製造することと、一次波源（１３）によって前記反射器アレイ（１１）を照射することとからなる、交差偏波補償を備えた反射器アレイアンテナを製造する方法において、前記方法が、各基本放射素子がプレーナ技術で製造され、かつ前記放射素子（２０）の平面ＸＹの２方向Ｘ、Ｙに関して対称な幾何学的形状を有するエッチングされたパターンを含み、前記エッチングされたパターンが、少なくとも１つの金属パッチ（１５）および／または少なくとも１つの放射スロット（１８）からなる、前記反射器アレイ（１１）を製造することからなり、次いで前記方法が、前記方向Ｘおよび／またはＹのうち少なくとも１つに関する非対称性を、前記反射器アレイ（１１）の少なくとも１つの前記放射素子（２０）の前記エッチングされたパターンの前記幾何学的形状へ導入し、前記非対称性が、前記交差偏波がゼロである所望の遠距離電磁界の放射図に基づいて、かつ、前記反射器アレイ（１１）の前記面内の対応する放射電界に基づいて計算されることからなることとを特徴とする方法。
【請求項７】
請求項６に記載の方法において、前記放射素子へ導入されるべき前記非対称性の前記計算が、
−  第１のステップにおいて、前記交差偏波がゼロである前記所望の遠距離電磁界の前記放射図に基づいて、前記反射器アレイ（１１）によって反射された波の伝播方向（４５）に垂直な面（４４）内の放射電界Ｅｒの主成分および交差偏波成分を導き出すことと、
−  第２のステップにおいて、前記反射器アレイ（１１）の各前記放射素子（２０）について、前記反射器アレイ（１１）の前記面内の前記対応する放射電界の成分ＥｒｘおよびＥｒｙを計算することと、
−  第３のステップにおいて、前記反射器アレイ（１１）の各前記放射素子（２０）上に、前記一次波源によって引き起こされた入射電界Ｅｉの成分ＥｉｘおよびＥｉｙを計算することと、
−  第４のステップにおいて、前記第２および前記第３のステップにおいて決定された前記成分Ｅｒｘ、Ｅｒｙ、ＥｉｘおよびＥｉｙに基づいて、それらから、対応する非対称の前記放射素子（２０）によって引き起こされなければならない所望の主反射係数Ｒｘｘ、Ｒｙｙおよび交差反射係数Ｒｘｙ、Ｒｙｘの値を導き出すこと
とからなることを特徴とする、方法。
【発明の詳細な説明】
【技術分野】
【０００１】
本発明は、交差偏波補償を備えた反射器アレイアンテナおよびそのようなアンテナを製造するための方法に関する。本発明は、顕著には通信衛星のような宇宙船に取り付けられるアンテナ、または衛星通信もしくは放送システム向けの地上端末のアンテナに適用される。
【背景技術】
【０００２】
幾何学的形状の表面を備えた反射器を含むオフセットアンテナ構造（英語で：ｏｆｆｓｅｔ  ｓｈａｐｅｄ  ｒｅｆｌｅｃｔｏｒ  ａｎｔｅｎｎａ）と、反射器に垂直な軸に関して移動する一次波源とは、反射器の幾何学的な湾曲と、反射器の直径に対する焦点距離の比率によって定義されている反射器の焦点比に直接依存する交差偏波のレベルとによって引き起こされた交差偏波の放射を発生させる。焦点比が大きいほど、交差偏波のレベルは低くなる。しかしながら、地球の方に方向付けられた衛星の面にアンテナが取り付けられる場合、アンテナの構造は小型でなくてはならず、また焦点比が低いことにより、高いレベルの交差偏波が引き起こされる。
【０００３】
中心にある一次波源によって照射された反射器を含むアンテナの場合、交差偏波のレベルがアンテナに垂直な方向にゼロであるが、反射器の端部の界磁線の湾曲により線対称の交差偏波ローブが存在し得る。
【０００４】
さらに、使用される一次波源は、その性能が低い場合、交差偏波を含む電界成分をそれ自体発生させることがある。
【０００５】
低い交差偏波レベルの仕様を満たすために、衛星に取り付けられた地球方向に指向するアンテナは、Ｇｒｅｇｏｒｉａｎ構造の中に取り付けられた二重反射器構造を有することが多い。２つの反射器を使用することにより、副反射器の湾曲によって引き起こされた交差偏波が、主反射器の湾曲によって引き起こされた交差偏波を打ち消すように、主反射器の幾何学的形状に対して副反射器の幾何学的形状を画定することが可能になる。しかしながら、副反射器およびその支持構造の存在により、単一の反射器を備えたアンテナに対して、アンテナの質量、体積およびコストの増加が生じる。
【０００６】
交差偏波レベルを減少させるための別の解決策は、オフセット構造の中で反射器アレイアンテナ（英語で：ｒｅｆｌｅｃｔａｒｒａｙ  ａｎｔｅｎｎａ）を使用することである。この種のアンテナでは、一次波源は斜め入射で反射器アレイを照射する。反射器は、１次元または２次元配列に組み立てられ、平面であってもよい反射表面を形成する１組の基本放射素子を含む。アンテナの放射素子がすべて同一で、個々にいかなる交差偏波も引き起こさない場合を考慮することにより、反射器アレイの対称軸上に配置された交差偏波のない一次波源によって反射器アレイが照射される場合、反射器アレイは次いでミラーとして働き、反射器アレイによって反射された放射はいかなる交差偏波成分も含まない。しかしながら、反射器アレイの放射素子は一般に、各放射素子が入射波上に作る移相を正確に制御するために幾何学的な差を含む。さらに、反射器の表面上の互いに関する基本放射素子の配置は一般に、選択した位相法則で選択した指向方向に所定の放射図を得るように合成され最適化される。その結果、反射器は平面であり、そのためにオフセット構造において波源により反射器が照射されるため、反射器の湾曲によって引き起こされた交差偏波はないが、反射器アレイは、成形された表面を備えた等価の反射器と同程度の大きさのレベルの交差偏波放射を引き起こしもする幾何学的形状の表面を備えた反射器として、操作中、動作することが留意されている。
【発明の概要】
【発明が解決しようとする課題】
【０００７】
本発明の目的は、所定の位相図を有する反射器アレイアンテナであって、一次波源によって生じた交差偏波が打ち消される反射器アレイアンテナを製造することである。
【課題を解決するための手段】
【０００８】
したがって、本発明は、規則的に分布し、反射表面を形成する複数の基本放射素子からなる反射器アレイと、反射器アレイを照射することを目的とした一次波源とを含む、交差偏波補償を備えた反射器アレイアンテナであって、反射器アレイは、選択した位相法則で選択した伝播方向の２つの直交主偏波に応じた放射図を有し、各基本放射素子は、プレーナ技術で製造され、少なくとも１つの金属パッチおよび／または少なくとも１つの放射スロットからなるエッチングされたパターンを含み、金属パッチは、対称構造の中に、エッチングされたパターンの中心に関して対で対向しており、かつ、放射素子の平面ＸＹの２方向Ｘ、Ｙに平行に配置された少なくとも４つの辺を含み、放射スロットは、放射素子の対称構造の中に、エッチングされたパターンの中心に関して正反対であり、かつ放射素子の方向Ｘおよび／またはＹのうち少なくとも１つに平行に配置された少なくとも２つの分岐を含むアンテナに関する。本発明によれば、反射器アレイの少なくとも１つの放射素子は、放射素子の平面ＸＹの方向Ｘおよび／またはＹのうち少なくとも１つに関して非対称の幾何学的形状を有するエッチングされたパターンを含み、放射素子のエッチングされたパターンの非対称性は、放射素子の平面の方向Ｘおよび／またはＹに関するエッチングされたパターンの幾何学的形状の、少なくとも１つの辺、それぞれ少なくとも１つの分岐の角度傾斜からなる。
【０００９】
このように、反射器アレイの各放射素子について、エッチングされたパターンの非対称性は、同一パターンの対称放射素子に基づいて放射素子ごとに個々に計算され、パターンの少なくとも一方向の角度傾斜からなる。傾斜角の角度の値は、一次波源によって照射された反射器アレイが伝播方向に垂直な面に発生させる減偏波を妨害する制御された減偏波を有する反射波を、放射素子が発生させるように決定される。放射素子の制御された減偏波は、同一パターンおよび２方向ＸおよびＹに沿った対称幾何学的形状の放射素子の主反射係数に類似した振幅の主反射係数と、同一対称パターンの前記放射素子の交差反射係数より大きい、ゼロでない振幅の交差反射係数とを有する個々の反射行列に対応する。
【００１０】
有利には、金属パッチと、金属パッチの中にエッチングされた少なくとも２つのスロットとを含むエッチングされたパターンにおいて、スロットが放射素子の対称構造の中に方向ＸおよびＹに平行で、対でそれぞれ方向付けされている少なくとも４つの主分岐を形成する場合、角度非対称性は、平面ＸＹにおけるエッチングされたパターンの中心のまわりの、スロットの４つの主分岐の角回転からなる。
【００１１】
有利には、対称構造の中に正方形の幾何学的形状を有する金属パッチを含むエッチングされたパターンの場合、正方形をそれぞれ不等辺四辺形または平行四辺形に変形させるように、角度非対称性は、同一の向きまたは反対の向きに放射素子の金属パッチの少なくとも２つの対向する辺の角度傾斜からなる。
【００１２】
有利には、反射器アレイのいくつかの隣接した放射素子は、前記放射素子それぞれの平面ＸＹの少なくとも一方向Ｘおよび／またはＹに関して非対称の幾何学的形状を有するエッチングされたパターンを含み、前記放射素子それぞれのエッチングされたパターンの幾何学的形状の辺または分岐の角度傾斜は、１つの放射素子から別の隣接した放射素子へ連続的に進む値の角度を反射表面上に形成する。
【００１３】
本発明の特定の実施形態によれば、反射器アレイは、異なる面によって方向付けられているいくつかの面ファセットを含み、各面ファセットは複数の基本放射素子を含み、反射器アレイの各面ファセットの少なくとも１つの放射素子は、対応する放射素子が属するファセットの平面ＸＹの少なくとも一方向Ｘおよび／またはＹに関して非対称の幾何学的形状を有するエッチングされたパターンを含む。
【００１４】
本発明はまた、規則的に分布し、反射表面を形成する、複数の基本放射素子からなる反射器アレイを製造すること、および一次波源によって反射器アレイを照射することからなる、オフセット構造および交差偏波補償を備えたそのような反射器アレイアンテナを製造するための方法に関する。その方法は、各基本放射素子がプレーナ技術で製造され、かつ、放射素子の平面ＸＹの２方向ＸおよびＹに関して対称である幾何学的形状を有するエッチングされたパターンを含む反射器アレイを製造し、エッチングされたパターンは、少なくとも１つの金属パッチおよび／または少なくとも１つの放射スロットからなることと、次いで方向Ｘおよび／またはＹのうち少なくとも１つに関する非対称性を、反射器アレイの少なくとも１つの放射素子のエッチングされたパターンの幾何学的形状に導入し、その非対称性は、交差偏波がゼロである所望の遠距離電磁界の放射図に基づいて、かつ反射器アレイの面内の対応する放射電界に基づいて計算されることとにある。
【００１５】
本発明の他の特定の特徴および利点は、添付した概略図を参照して、単なる例示的で非限定的な例として挙げた以下の記述で明らかに明白になるだろう。
【図面の簡単な説明】
【００１６】
【図１】本発明による反射器アレイアンテナの一例の図である。
【図２】本発明による例示的な基本放射素子の図である。
【図３】本発明による、反射器アレイアンテナの放射素子の例示的配置の図である。
【図４ａ】本発明による、反射器アレイ上の斜め入射波の経路を示す図である。
【図４ｂ】本発明による、入射波および反射波の経路上の様々な面における電界成分の方向を示す図である。
【図５ａ−５ｂ】本発明による、それぞれ、放射が交差偏波成分を含む場合、および、放射が交差成分なしで完全に偏波されている場合における、放射開口の面内の電界の分布を示す２つの図である。
【図６ａ】本発明による、金属パッチと、金属パッチの中にエッチングされたスロットとを含む例示的対称放射素子、対応する反射行列および所望の反射行列である。
【図６ｂ−６ｅ】本発明による、様々な種類の回転が導入されている図６ａの放射素子、ならびに、対応する交差係数の振幅および位相の変化に関する図である。
【図７】本発明による、２つの連続する放射素子間で連続的に変更可能な位相を含む１組の対称な連続放射素子の例であって、各放射素子は、正方形の金属パッチおよび金属パッチの中で開いた放射開口からなるパターンを含む。
【図８ａ−８ｂ】本発明による、様々な種類の回転が導入されている図７の放射素子ならびに、対応する交差係数の振幅および位相の変化に関する図である。
【図９ａ−９ｂ】本発明による、様々な種類の回転が導入されている図７の放射素子ならびに、対応する交差係数の振幅および位相の変化に関する図である。
【発明を実施するための形態】
【００１７】
例えば図１に示したような反射器アレイアンテナ１０は、１次元または二次元の反射器アレイ１１へ組み立てられ、アンテナ１０の指向性および利得の増加を可能にする反射表面１４を形成する１組の基本放射素子２０を含む。反射器アレイ１１は一次波源１３によって照射される。反射器アレイ１１の、基本セルとも呼ばれる基本放射素子２０は、金属パッチおよび／またはスロットタイプのエッチングされたパターンを含む。エッチングされたパターンは、例えばエッチングされたパターンの幾何学的寸法（「パッチ」またはスロットの長さおよび幅）のような変動パラメータを有し、変動パラメータは選択した放射図を得るように調節される。例えば図２に示すように、基本放射素子２０は、放射スロットを積み、金属接地面からλｇ／１０とλｇ／４との間の典型的な距離だけ離れた金属パッチからなり得る。ここで、λｇはスペーサ媒体中の管内波長である。このスペーサ媒体は誘電体であってもよいが、またハニカム型のセパレータと、細長くて厚みのある誘電性表層との対称配置によって製造された複合サンドイッチもあってもよい。
【００１８】
図２では、基本放射素子２０は、長さｍの辺を有する正方形であり、誘電体基板１６の上面上に印刷された金属パッチ１５を含み、誘電体基板１６の下面には金属接地面１７が備えられている。金属パッチ１５は、寸法ｐの辺を有する正方形を有し、その中心に作られた長さｂおよび幅ｋの２つのスロット１８を含み、スロットは十字の形状に配置されている。三次元の基準座標系ＸＹＺでは、放射素子の反射表面の面は平面ＸＹである。基本放射素子２０の形状は正方形に限定されず、長方形、三角形、円形、六角形、十字のような形状、または他のいかなる幾何学的形状であってもよい。スロットはまた、２と異なる数で製造することができ、それらの配置は十字とは異なり得る。中央のスロットの代わりに、放射素子はまた、十字形の中央パッチ、および１つまたは複数の周辺スロットからなるパターンを含むことができるだろう。あるいは、放射素子は、いくつかの同心環状の金属パッチおよび、いくつかの環状または非環状スロットからなるパターンを含むことができるだろう。
【００１９】
アンテナ１０を効果的にするため、基本セルは、通過帯域の様々な周波数に対して、入射波上に作る移相を正確に制御できる必要がある。
【００２０】
反射器アレイを構成するための、互いに関する基本放射素子の配置は、選択した指向方向に、および所定の位相法則で、所定の放射図を得るように合成される。図３は、アンテナに関して横方向に指向する指向性ビームを得ることを可能にする、反射器アレイアンテナの放射素子の例示的配置を示す。反射器アレイの平面性および、アレイの各放射素子７、８までの一次波源１３によって放射された波の経路長の差のために、一次波源１３から発生した入射波による反射器アレイの照射は、反射表面１４の上の電磁界の位相分布を引き起こす。したがって、各放射素子７、８のエッチングされたパターンは、入射波の相対的な位相を補償する移相を備えたアレイ１１によって入射波が反射されるように画定された幾何学的寸法を有する。
【００２１】
各放射素子のエッチングされたパターンの幾何学的形状は、各放射素子の面の２つの直交軸ＸおよびＹに関して対称になるように慣習的に選択される。分離された対称放射素子はその面に垂直な入射波をほとんど減偏波化しないため、関連する反射行列は一般に、３０ｄＢ未満の非常に低い交差反射係数を含む。これらのレベルは、斜め入射について、特に法線に関して４０°よりも大きく増加させることができる。放射素子は、一次波源によって放射された偏波に対応する主偏波において、総表面に対して特定の位相法則を作るように反射器の表面に配置されている。減偏波の現象はアンテナの性能を低下させるグリッチと考えられる現象であるが、反射器アレイの配置を作る際、それらの現象は一般に考慮されない。
【００２２】
反射器アレイ１１が直線偏波中の斜め入射波によって照射される場合、反射器アレイ１１は２つの直交方向ＸおよびＹに沿った２つの電界成分を含む反射波を発生する。図４ａでは、反射器アレイ１１の表面を破線によって部分的に図式化し、４つの放射素子２０を示す。各放射素子２０は正方形の金属パッチを含む。オフセット構造に配置された一次波源１３は、反射器アレイ１１に垂直な方向ｎに関して角度θを作る斜め方向に沿って反射器アレイ１１を照射する。一次波源によって放射された入射電磁界Ｅｉｎｃは、例えば波源に関連付けられた正規直交基準座標系における垂直方向に沿って直線的に偏波されてもよい。その斜め入射のために、波源に関連付けられた面内で直線的に偏波された入射電磁界Ｅｉｎｃは、放射素子の面に関連付けられた基準座標系ＸＹにおいて、放射素子の面の２方向ＸおよびＹに沿った２つの電界成分ＥｉｘおよびＥｉｙを含む入射電磁界Ｅｉを引き起こす。２つの成分ＥｉｘおよびＥｉｙは、反射器アレイの面内の斜め入射電磁界Ｅｉｎｃの射影に対応する。次いで、反射器アレイは、伝播主方向に沿って、２つの電界成分ＥｒｘおよびＥｒｙを含む反射電磁界Ｅｒを放射する。したがって、一次波源１３に関連付けられた基準座標系において直線的に偏波された入射電磁界Ｅｉｎｃは、反射器アレイ１１の面に平行な平面ＸＹ内に交差偏波電界成分を発生させる。
【００２３】
平らな反射器アレイについて、および反射器アレイの面に垂直な方向ｎにおいて、放射素子のレベルで引き起こされた交差偏波成分は互いに補償する。図４ｂに示したように、所定の方向または特定の適用範囲にビームを作るために課せられた位相法則については、反射器アレイの面に垂直な方向ｎは、伝播方向４５に垂直な面４４とは一般に異なる。次いで、交差偏波成分は位相重みと合計され、もはや互いに補償しない。
【００２４】
したがって、本発明は、従来技術に従って、すなわち、２つの直交する主偏波中で要求される放射図についてのみ懸念しながら、したがって主反射係数ＲｘｘおよびＲｙｙのみを配慮しながら反射器アレイを合成することにある。反射器アレイの放射図を効果的にするために、主反射係数ＲｘｘおよびＲｙｙが１に近い振幅を有することが重要である。したがって本発明は、反射器アレイによって引き起こされた交差偏波成分を補償するように反射器アレイの少なくとも１つの放射素子によって引き起こされた偏波をわずかに妨害することにある。放射素子へ導入されるべき妨害は、反射器アレイの放射素子のそれぞれに対して個々に決定される。各放射素子によって反射された波のわずかな減偏波は、個々の放射素子のレベルでの、反射器アレイの面内の小さい振幅の交差偏波放射の出現に対応する。わずかな減偏波は、反射器アレイ１１の開口プランまたは放射開口面と呼ばれる、反射器アレイ１１によって反射された波の伝播方向４５に垂直な面４４内に、交差成分のない電界分布を得ることを可能にするようなものである。導入された減偏波は小さくなくてはならず、放射素子の放射の基本モードもその位相も妨害してはならない。例えば、各基本放射素子によって導入された交差反射係数は、−１５ｄＢ未満であることが好ましいだろう。
【００２５】
各放射素子上に作る必要がある減偏波の量を推定するために、本発明は第１のステップにおいて、所望の遠距離電磁界４６の放射図を画定することと、この遠距離電磁界について交差偏波成分がゼロであることを開始条件として課すこととにある。反射器アレイ１１によって反射された波の伝播方向４５に垂直な面４４によって画定された無限の放射開口上の近傍電磁界の固有の分布は、この遠距離電磁界４６に関連している。自動的に、交差偏波成分は遠距離電磁界においてゼロであるため、反射器アレイによって反射された波の伝播方向に垂直な面においてもゼロであり、そのため、反射器アレイ１１の開口面４４においてゼロである。所望の遠距離電磁界４６の放射図に基づいて、反射器アレイの開口面４４における、対応する放射近傍電磁界の主偏波の成分をフーリエ変換によって、その放射図から導き出すことができる。
【００２６】
また、放射近傍電磁界を反射器アレイに対応する制限された表面上に再構築することができる。再構築された近傍電磁界と所望の遠距離電磁界とを等価にし得るために、近傍電磁界を反射器アレイの表面の内部に閉じ込める必要がある。
【００２７】
第２のステップでは、開口面４４が反射器アレイ１１の面とは異なる一般的な場合、本発明はその後、反射器アレイの各放射素子に対して、反射器アレイの面内の対応する放射電界の成分を逆伝播技術によって計算することにある。逆伝播技術は、開口面４４から反射器アレイ１１の面への基準座標系の変更からなる。反射器アレイの面内に放射された電界の成分は、それぞれの方向ＸおよびＹに沿った対応する放射素子によって反射された成分ＥｒｘおよびＥｒｙである。反射器アレイの面が開口面とは異なる場合、成分Ｅｒｙは小さいがゼロではない。
【００２８】
第３のステップでは、本発明は、反射器アレイの各放射素子上に一次波源１３によって引き起こされた入射電界ＥｉｘおよびＥｉｙの成分を計算することにある。放射ホーンタイプの一次波源について、ホーンは例えば、引用により援用する、Ｇ．Ｆｒａｎｃｅｓｃｈｅｔｔｉによる著書「Ｃａｍｐｉ  Ｅｌｅｔｔｒｏｍａｇｎｅｔｉｃｉ」、Ｂｏｌｌａｔｉ  Ｂｏｒｉｎｇｈｉｅｒｉ  ｅｄｉｔｏｒｅ  ｓ．ｒ．ｌ、Ｔｏｒｉｎｏ  １９８８（ＩＩ  ｅｄｉｚｉｏｎｅ）に述べられているように近傍または遠距離の放射電界を計算可能にする１組の球面波モード係数によって定義される。
【００２９】
第４のステップでは、本発明は、第２のステップで決定された成分ＥｒｘおよびＥｒｙと、第３のステップで決定された成分ＥｉｘおよびＥｉｙに基づいて、それらから各放射素子に対して、主反射係数ＲｘｘおよびＲｙｙ、ならびに対応する交差反射係数ＲｘｙおよびＲｙｘを導き出すことにある。
【００３０】
実際、それぞれの方向ＸおよびＹに沿った反射器アレイによって発生する反射電界Ｅｒの成分ＥｒｘおよびＥｒｙは、波源によって引き起こされる入射電磁界Ｅｉの成分ＥｉｘおよびＥｉｙの関数として、次の方程式により表される。
Ｅｒｘ  ＝  Ｒｘｘ  Ｅｉｘ  ＋  Ｒｘｙ  Ｅｉｙ
Ｅｒｙ  ＝  Ｒｙｘ  Ｅｉｘ  ＋  Ｒｙｙ  Ｅｉｙ
【００３１】
斜め入射波Ｅｉｎｃが２つの直交する主方向ＸおよびＹに偏波される場合、方向ＸおよびＹに発生する反射界の成分は、方向Ｘの偏波についての２つの方程式と、方向Ｙの偏波についてのさらに２つの方程式による入射界に関係する。
【００３２】
したがって、反射器アレイの各放射素子の反射行列は、方向Ｘの反射係数Ｒｘｘ、方向Ｙの反射係数Ｒｙｙ、ならびに交差偏波に対応する２つの交差反射係数ＲｘｙおよびＲｙｘを含む。
【００３３】
主反射係数ＲｘｘおよびＲｙｙが１に近い振幅を有するために、遠距離放射界は、放射開口の事実上の面内に再構築された近傍放射界に非常に強く関連している必要がある。これは、本発明が、第一に、方向ＸおよびＹの２つの直交する主偏波において必要となる放射図についてのみ気にしながら、したがって主反射係数ＲｘｘおよびＲｙｙにのみを扱いながら反射器アレイを合成することと、次いで、反射波の伝播方向に反射器アレイによって引き起こされた交差偏波を補償するように少なくとも１つの放射素子の偏波をわずかに妨害することとにある理由である。
【００３４】
各放射素子上に作る必要がある減偏波の量を推定することを可能にするこの機構を適用することによって、放射素子ごとに主係数および交差反射係数の値を個々の対応する放射素子に対して導き出される。
【００３５】
反射表面上の放射素子２０の位置に応じて、この放射素子に対して放射された波の入射角は変わり、交差反射係数も変わる。反射器アレイに垂直な方向ｎに関する入射波の角度θが増加すればするほど、減偏波はなお一層大きくなる。
【００３６】
このように、例えば反射器が３つの異なる面に沿って方向付けられている３つの面ファセット４１、４２、４３を含む図４ｂに示したような、いくつかの面ファセットからなる反射器アレイ１１の場合には、放射界Ｅｒの成分ＥｒｘおよびＥｒｙは、各放射素子に対して、この放射素子が属するファセットの平面ＸＹ内に決定されなければならない。したがって、考慮された放射素子および、放射素子が位置しているファセットに応じて、様々な基準座標系ＸＹを考慮しなければならない。したがって、個々の放射素子上に作る必要がある減偏波の量を推定することを可能にする機構に従って、考慮された放射素子に対応する平面ＸＹ内に放射された成分ＥｒｘおよびＥｒｙを再構築するために、ファセットごとに上記機構を適用しなければならない。
【００３７】
従来技術に従って、主反射係数ＲｘｘおよびＲｙｙにのみを扱いながら合成された反射器アレイは一般に、生産を簡単にするために、反射器アレイの面の直交方向ＸおよびＹのそれらの主軸によって対称なエッチングされたパターンを有する放射素子を含む。２つの直交偏波に対して同一放射が必要な場合、放射素子はさらに方向ＸおよびＹに同一の寸法を有する。
【００３８】
したがって、各放射素子のエッチングされたパターンの正確な寸法は、主係数ＲｘｘおよびＲｙｙから導き出される。交差偏波の効果を制限するための技術が提案されていても、従来技術において、交差偏波は突然起こるものと考えられている。
【００３９】
交差偏波を除去可能にする成分ＥｒｘおよびＥｒｙが、反射器アレイのすべての放射素子に対して決定された場合、本発明は次いで、反射器アレイ１１の個々の放射素子２０に、放射素子ごとに異なる制御された減偏波を導入することにあり、目標値に対応する全反射係数を得ることが可能になる。放射素子へ個々に導入されたこの減偏波は次いで、それが最終反射器アレイ上に斜め入射波によって引き起こされた減偏波を補償するようなものである。
【００４０】
図５ａは、反射器アレイが交差偏波に関する寄生グリッチを考慮せずに合成され、かつ、放射が交差偏波成分を含む場合の放射開口の面内の電界分布を示す。また図５ｂは、反射器アレイが交差偏波成分を打ち消すように合成され、かつ、放射が交差成分なしで完全に偏波される場合を示す。
【００４１】
本発明によれば、反射器アレイの少なくとも１つの個々の放射素子に導入された減偏波は、主偏波におけるその放射を妨害しないように、この放射素子によって引き起こされた主反射係数の同一位相を保持しながら、この放射素子のパターンの対称性を破ることにある。このように、交差反射係数の振幅および位相は変更される。したがって、角度非対称性は交差偏波を発生させる放射素子のパターンに導入され、いかなる交差偏波をも発生させないある種の放射素子、例えば反射器アレイの対称軸上に位置する放射素子は対称であり続けることが可能である。これらの角度非対称性は、平面ＸＹにおけるパターンの少なくとも１つの主方向の角度傾斜または、パターンの中心５０のまわりの、パターンの４つの主方向Ｘ、Ｘ’、Ｙ、Ｙの角回転からなる。角回転は、すべての方向について異なっていてもまたは同一であってもよい角度で、かつ、同一または異なっていてもよい向きで作られる。反射器アレイのいくつかの隣接した放射素子が、これらの放射素子の平面ＸＹの少なくとも一方向Ｘおよび／またはＹに関して非対称の幾何学的形状を有するパターンを含む場合、前記放射素子それぞれのパターンの非対称性は、反射表面上の１つの放射素子から別の隣接した放射素子へ連続的に進行する。
【００４２】
図６ａから６ｄに示した第１の例は、放射素子２０の幾何学的パターンが金属パッチと、パッチの中にエッチングされたスロットとを含む場合に関する。図６ａでは、スロットは、エルサレム十字と呼ばれる２つの直交方向ＸＸ’およびＹＹ’によって対称な中央の十字を形成する。十字は、対で対向し、それぞれ方向Ｘ、Ｘ’、Ｙ、Ｙ’に方向付けられている４つの主分岐６２、６３、６４、６５を含み、各主分岐は垂直延長部を有する端部を含む。この対称放射素子の反射行列６０は、主反射係数が、等しい振幅のものであり、０ｄＢに対応する最大値１に近く、交差反射係数が、典型的には約−２９ｄＢの非常に小さい振幅を有する。所望の反射行列６１は、対称要素の主反射係数に対してほとんど修正されていない主反射係数と、約−２１ｄＢの振幅を有するわずかに低下した交差反射係数を含む。しかしながらこの低下した振幅はノイズに対応するレベルのままである。図６ｂ、６ｃ、６ｄでは、中央の十字の各主分岐は、放射素子の中心５０に関して様々な種類の角回転を行った。角回転は、主分岐それぞれの傾斜を互いに独立して正または負の向きに異なる角度で修正することにある。
【００４３】
図６ｂの２つの構造２０ａ、２０ｂでは、正反対の方向ＸＸ’、ＹＹ’に沿って位置する十字の主分岐は、同一角度で同時に傾いており、その傾斜は２つの対向する分岐については正の向きで、他の２つの分岐については負の向きである。対応する交差反射係数の振幅および位相の図は、十字の主分岐の傾斜角が−１０°と＋１０°との間で変化する場合、この構造は交差反射係数の振幅に大きな影響を及ぼすが、それらの位相、モジュロ１８０°は変わらないことを示す。
【００４４】
図６ｃの２つの構造２０ｃ、２０ｄでは、十字の４つの主分岐は互いに独立して同一角度で傾いており、正反対の方向に沿って位置する分岐は反対の向きに傾いているが、２つの連続する分岐は同一の向きに傾いている。対応する交差反射係数の振幅および位相の図は、十字の主分岐の傾斜角が、−４°と＋４°との間で変化する場合、この構造は交差反射係数の振幅にほとんど影響を及ぼさないが、それらの位相は大きく変化することを示す。
【００４５】
図６ｄの２つの構造２０ｆ、２０ｇ、十字の４つの主分岐は互いに独立して同一角度で傾いており、正反対の方向に沿って位置する分岐は図６ｃのように反対の向きに傾いているが、２つの対向する分岐の傾く向きは逆である。対応する交差反射係数の振幅および位相の図は、十字の主分岐の傾斜角が、−１０°と＋１０°との間で変化する場合、この構造は交差反射係数の振幅に大きな影響を及ぼすが、それらの位相は変わらないことを示す。
【００４６】
図６ｅは、反射行列が、図６ａに示した所望の行列６１に非常に近い、例示的な最適化された放射素子２０ｉを示す。この放射素子２０ｉは、方向ＹおよびＸに関してそれぞれ負の回転方向、および正の回転方向に９．３５°の角度を形成する２つの分岐と、方向Ｘ’およびＹ’に関してそれぞれ負の回転方向、および正の回転方向に６．６５°の角度を形成する２つの分岐とを含む。
【００４７】
したがって、図６ａから図６ｅの様々な回転の例は、放射素子の主方向に沿って方向付けられている十字の４つの分岐の傾斜角を調節することにより、交差反射係数の振幅および位相を制御でき、その結果、この放射素子の減偏波を制御できることを示す。
【００４８】
図７は、２つの連続する放射素子間で連続的に変更可能な位相を有する１組の連続した対称放射素子に関し、各放射素子２０は、正方形の金属パッチおよび金属パッチ中で開いた放射開口からなるパターンを含む。放射開口に関する金属パッチのそれぞれの寸法は、１つの放射素子から別の隣接した放射素子へ連続的に変更可能であり、それによって、所望の放射位相法則の関数として反射器アレイの上に分布すべき、０°と３６０°との間の多数の異なる位相、モジュロ３６０°を有することが可能になる。金属パッチの中心に放射開口が現れ、前記金属パッチが消えるまで放射開口の寸法が徐々に増加し、次いで放射開口が消えるまで、寸法が徐々に増加する新しい金属パッチが放射開口の中心に現れるために、様々な連続する位相が放射開口に対してパッチの寸法を急激に破壊することなく得られる。
【００４９】
正方形を不等辺四辺形に変形させるために、これらの放射素子それぞれの金属パッチの２つの対向する辺の傾斜角を修正することによって、実質的に主反射係数を修正せずに、これらの放射素子の交差反射係数の位相を制御することができる。図８ａおよび図８ｂは、斜め入射波を受け、不等辺四辺形を形成するように反対方向に２つの傾斜した辺８１、８２または８３、８４を含む、放射素子についての交差反射係数の位相および振幅の変化の図を示し、辺の傾斜角は図８ａでの方向ＹＹ’に関して、または図８ｂでの方向ＸＸ’に関して−１０°と＋１０°との間で変化する。これらの２つの図では、交差反射係数の振幅は非常にわずかしか変化せず、位相は大きく変わる。
【００５０】
図１０ａおよび１０ｂは、平行四辺形を得るように２つの対向する辺が同一方向に同一角度で傾いている場合の交差反射係数の位相および振幅の変化についての他の図を示す。
【００５１】
本発明は特定の実施形態と共に記述されているが、それらに限定されることは決してなく、記述した手段のすべての技術的均等物、および、本発明の構成に入る場合それらの組合せも含むことは非常に明白である。
【図１】
2013543283.tif 000003
【図２】
2013543283.tif 000004
【図３】
2013543283.tif 000005
【図４ａ】
2013543283.tif 000006
【図４ｂ】
2013543283.tif 000007
【図５ａ】
2013543283.tif 000008
【図５ｂ】
2013543283.tif 000009
【図６ａ】
2013543283.tif 000010
【図６ｂ】
2013543283.tif 000011
【図６ｃ】
2013543283.tif 000012
【図６ｄ】
2013543283.tif 000013
【図６ｅ】
2013543283.tif 000014
【図７】
2013543283.tif 000015
【図８ａ】
2013543283.tif 000016
【図８ｂ】
2013543283.tif 000017
【図９ａ】
2013543283.tif 000018
【図９ｂ】
2013543283.tif 000019